(57)【要約】【課題】  絵画や写真等の画像の背景にある利用者にとっての特別な日時（例えば撮影日時や誕生日や記念日の時刻情報）から現在の日時までの経過時間を計算し、絵画や写真等の画像と併せて展示することである。【解決手段】  写真や絵画を展示するためのホルダーにおいて、利用者が設定可能な特定の日時情報の入力手段および保持手段と、また現在の日時情報を計測するための時計を、記特定の日時情報から前記現在の日時情報までの経過時間を計算し表示する手段を前記ホルダーに配置したものである。  また、パソコン等の画像を表示する機能を有するコンピュータにおいて、画像情報に利用者が設定可能な特定の日時情報および前記特定の日時情報からコンピュータが持つ現在の日時情報までの経過日時を表示するためのプログラムを付加して、画像とともに前記経過日時を表示するための画像ファイルである。【選択図】  図１
2006184262.tif 000002
【特許請求の範囲】
【請求項１】
画像を展示するためのホルダーにおいて、特定の日時データを入力する手段と、前記特定の日時データを記憶し保持する手段と、前記特定の日時から現在日時までの経過時間を計算し表示する手段を有していることを特徴とする、画像の展示用ホルダー
【請求項２】
装置が使用する電源の一部に光発電を利用していることを特徴とする、請求項１記載の画像の展示用ホルダー
【請求項３】
現在日時の設定手段のために電波時計を利用していることを特徴とする、請求項１または請求項２記載の画像の展示用ホルダー
【請求項４】
コンピュータで処理されるプログラムにおいて、利用者が任意に設定できる画像データおよび特定日時データを保持する部分と、前記特定日時データから現在日時までの経過時間を算出するプログラムからなり、前記画像データと前記経過時間を併せて表示する、コンピュータで処理されるプログラム
【請求項５】
前記特定日時データが画像の作成日時または撮影日時または修正日時であることを特徴とする請求項４記載のコンピュータで処理されるプログラム
【請求項６】
前記特定日時データまたは画像データまたは現在時刻がネットワークを介して取得されることを特徴とする請求項４または請求項５記載のコンピュータで処理されるプログラム
【請求項７】
請求項４または請求項５または請求項６記載のプログラムを作成する機能を有することを特徴とする画像撮影装置
【発明の詳細な説明】
【技術分野】
【０００１】  本発明は写真や絵画を展示するためのホルダーに関し、さらに詳しくは時計の機能を有する写真立てや額縁に関する。またパソコン等の画面上で表示する画像に時計の機能を付加するコンピュータで処理されるプログラムに関する。
【背景技術】
【０００２】  現在、写真や絵画を展示するための器具として、フォトフレームや写真立てや額縁等の展示器具は多様な形態およびデザインのものが考案され使用されている。
時計の機能を付加させたフォトフレームや写真立てや額縁等の展示器具も一般的に使用されている
しかしながら、これらの展示器具に付属する時計は単に現在の日時を表示する機能を持ったものだけであった。
また、近年はデジタルカメラやインターネットの普及により画像をパソコン画面等で展示し鑑賞する機会も多くなっている。
【発明の開示】
【発明が解決しようとする課題】
【０００３】  本発明の目的は、絵画や写真等の画像の背景にある利用者にとっての特別な日時（例えば撮影日時や誕生日や記念日の時刻情報）から現在の日時までの経過時間を計算し、前記絵画や写真等の画像と併せて展示することである。
【課題を解決するための手段】
【０００４】  本発明は写真や絵画を展示するためのホルダーにおいて、利用者が設定可能な特定の日時情報の入力手段および保持手段をもち、また現在の日時情報を計測するための時計機能を有し、前記特定の日時情報から前記現在の日時情報までの経過時間を計算し表示する手段を前記ホルダーに配置したものである。【０００５】  また、パソコン等の画像を表示する機能を有するコンピュータにおいて、画像情報に利用者が設定可能な特定の日時情報および前記特定の日時情報からコンピュータが持つ現在の日時情報までの経過日時を表示するためのプログラムを付加して、画像とともに前記経過日時を表示するための画像ファイルである。
【発明の効果】
【０００６】  本発明によれば、利用者は写真や絵画の画像の背景にある特定の日時から現在までの経過時間を、前期画像と併せて確認する事ができる。
【発明を実施するための最良の形態】
【０００７】  実施の形態１
以下本発明の一実施例を図面に基づいて説明する
図１は本発明の写真および絵画の展示ホルダーを正面からみたものである。図２は本発明の写真および絵画の展示ホルダーを裏側からみたものである。【０００８】  利用者は図２の蓋（２）を開き、写真または絵画の画像（３）を挿入し、前記蓋（２）を閉じて画像を展示ホルダー（１）に設置する。展示ホルダー（１）は背面に設置された壁掛け穴（５）を壁面に設置された釘等に掛けて使用して本展示ホルダー（１）を壁に設置することができる。またスタンド（６）を開き、本展示ホルダーを平面上に立てて設置することができる。【０００９】  次に本展示ホルダーに設置された日時表示機能について説明する。展示ホルダー（１）には日時演算表示装置（７）が設置されており、前記日時演算表示装置（７）には入力モードボタン（８）、時刻設定ボタン（９Ｙ）（９Ｍ）（９Ｄ）（９ｈ）（９ｍ）（９ｓ）、日時表示パネル（１０）、アンテナ（１１）および、通信ポート（１２）が配置されている。また、時計表示装置（７）には太陽電池パネル（１０）が接続されている。【００１１】  利用者は図２の入力モードボタン（８）を操作し時計部を現在時刻入力モードに切り替え、時刻設定ボタン（９Ｙ）、（９Ｍ）、（９Ｄ）、（９ｈ）、（９ｍ）、（９ｓ）を使用して現在の年、月、日、時間、分、秒を設定し時計を動作させ、日時演算表示装置に現在の日時を保持させる。【００１２】  次に利用者は入力モードボタン（８）を操作して時計部を特定日時データ入力モードに切り替えて、挿入された写真または絵画に関する特定の日時データを、時刻設定ボタン（９Ｙ）（９Ｍ）（９Ｄ）（９ｈ）（９ｍ）（９ｓ）を使用して入力し、特定日時データを日時演算表示装置に記憶させる。【００１３】  日時演算表示装置は利用者が設定した特定の日時から常に変化し続ける現在時刻までの経過日時を随時算出し、図１の日時表示パネル（１０）に表示する。これらにより写真または絵画に関する特定の日時から現在日時までの経過時間をリアルタイムに表示することができる。【００１４】また、この日時演算表示装置（７）には電波時計が使用されていてアンテナ（１１）で受信した信号をもとに現在時刻の設定を利用者の作業に頼らず自動的に行うことができる機能を有している。【００１５】また、この日時演算表示装置（７）は電力で動作しているが、展示ホルダー表面に設置されている太陽電池パネル（１２）よって電力の供給を行い日時演算表示装置内部の電池の寿命を延ばせる構造になっている。【００１６】また、図２の通信ポート（１３）をパソコン等に接続して現在時刻や写真または絵画に関する特定時日時を外部より設定できるようになっている。【００１７】また、さらに特定の経過日時データを設定しアラームや表示等で利用者に特定の経過時刻が到来したことを知らせる機能を有している【００１８】  実施の形態２
前記記載の事項はパソコン等でディスプレーに表示させる画像についても同様の経過日時の効果を付加することができ、以下一実施例を図面に基づいて説明する。【００１９】図３は本発明のコンピュータで読みとり可能なプログラムの概念図であり、図５はプログラム（１３）の動作を示すフローチャートである。図４は前記プログラム（３６）で表示される画面の一例である。【００１９】前記プログラム（３６）は、画像データ部（１４）、特定日時データ部（１５）、経過日時演算部（１６）から構成されており、図６に示すフローチャートの様に動作する。【００２０】  以下動作を説明すると、まず利用者によりコンピュータで本プログラム（１３）が開始されると、コンピュータは画像データ部（１４）を図４の画像（１８）ように画面（１７）上に表示する。【００２１】  次に経過日時演算部（１６）はコンピュータが保持する現在日時を取得し、特定時刻データ（１５）へアクセスし現在時刻までの差分を算出して図の経過日時表示（１０）として画面（１７）上に前記画像（１８）と併せて表示する。【００２２】  また、前記経過日時算出（２２）は一定時間経過（２５）毎に連続して行われ、たとえば一定時間経過（２５）が１秒である場合は１秒ごとに最新の経過日時を表示するようになっている。【００２３】  図６は利用者が前記プログラム（１３）のファイルを作成する際に使用する作成プログラムの画面の一例である。以下利用者がプログラムファイルを作成する手順の一例を説明する。【００２４】  利用者は作成プログラムを起動させ画面（１７）上に表示される作成表示（２６）をみて画像ファイル選択表示（２７）より画像を選択する。利用者は画像選択ボタン（２８）およびキャンセルボタン（２９）を使用して画像選択を確定させる。【００２５】次に利用者は前記選択画像に関する特定時刻を時刻入力表示（３１）より入力するが、この際必要に応じて利用者は作成撮影日時ボタン（３２）または修正日時ボタン（３３）を選択することにより前記特定時刻に画像の作成日または修正日または撮影日時を選択することができる。つぎに利用者は任意のファイル名をファイル名入力表示（３４）へ入力し作成ボタン（３５）を選択し、コンピュータに接続された記憶媒体にプログラムファイルが作成される。【００２６】  上述の実施形態はパーソナルコンピューターでの利用を考慮して記述されているが、デジタルカメラやスキャナー等の画像撮影装置に作成プログラムの機能を付加して図３におけるプログラムを作成することも可能である。【００２６】  図６は上述のプログラムにさらに外部通信部（３６）を設けたものであり、外部から画像データ部（１３）または特定日時データ部（１４）をネットワーク経由で取得することが可能になっている。また、必要に応じて現在時刻の取得も可能である。
【図面の簡単な説明】
【００２７】
【図１】  実施の形態１の展示ホルダーを示した正面図である。
【図２】  実施の形態１の展示ホルダーを示した背面図である。
【図３】  実施の形態２のプログラムの構造を示した概念図である。
【図４】  実施の形態２のプログラムで表示される画面図である。
【図５】  実施の形態２のプログラムの動作を示すフローチャートである。
【図６】  実施の形態２のプログラム作成画面の一例の画面図である。
【図７】  外部通信部を付加した実施の形態２のプログラムの構造を示した概念図である。
【符号の説明】
【００２８】１  展示ホルダー、２  蓋、３  画像、４  蓋止め具、５  壁掛け穴、６  スタンド、７  日時演算表示装置、８  入力モードボタン、９Ｙ  時刻設定ボタン年、９Ｍ  時刻設定ボタン月、９Ｄ  時刻設定ボタン日、９ｈ  時刻設定ボタン時、９ｍ  時刻設定ボタン分、９ｓ  時刻設定ボタン秒、１０  日時表示部、１１  アンテナ、１２  太陽電池パネル、１３  通信ポート、１４  画像データ部、１５  特定日時データ部、１６  経過日時演算部、１７  画面、１８  画像、１９  画像データ表示ステップ、２０  特定日時データ取得ステップ、２１  現在日時データ取得ステップ、２２  経過日時算出ステップ、２３  経過日時表示ステップ、２４  終了命令ステップ、２５  一定時刻経過、２６  作成用表示、２７  画像ファイル選択表示、２８  画像選択ボタン、２９  キャンセルボタン、３０  選択画像、３１  時刻入力表示、３２  作成撮影日時ボタン、３３  修正日時ボタン、３４  ファイル名入力表示、３５  作成ボタン、３６  外部通信部、３７  プログラム本体、３８  プログラム本体、
【図１】
2006184262.tif 000003
【図２】
2006184262.tif 000004
【図３】
2006184262.tif 000005
【図４】
2006184262.tif 000006
【図５】
2006184262.tif 000007
【図６】
2006184262.tif 000008
【図７】
2006184262.tif 000009